(57)【要約】      （修正有）【課題】磁気治療体の着脱が非常に容易になるスマート磁気治療フラフープを提供する。【解決手段】磁気治療体３と、外輪ベルト１と、回転体１２と、揺動体１３と、を含み、磁気治療体３の内壁には、磁気治療コンタクト４が設けられており、回転体１２が接続紐１５を介して揺動体１３と接続されるスマート磁気治療フラフープにおいて、外輪ベルト１の首尾が直接接続されたり、係止ベルト２で接続されたりして環状ベルトを形成するとともに、外輪ベルト１と係止ベルト２がともにフレキシブルベルトである。スマート磁気治療フラフープは、外側の環状ベルトについて、接続が簡単で、強固であり、かつ、環状ベルトの直径の大きさを柔軟かつ便利に調整することができ、これにより、異なる太さの使用者にうまく適応でき、使用者の腰に密着できる。【選択図】図１
0003234198.tif 000002
【実用新案登録請求の範囲】
【請求項１】
磁気治療体（３）と、外輪ベルト（１）と、回転体（１２）と、揺動体（１３）とを含み、磁気治療体（３）の内壁には、磁気治療コンタクト（４）が設けられており、回転体（１２）が接続紐（１５）を介して揺動体（１３）と接続されるスマート磁気治療フラフープにおいて、前記外輪ベルト（１）の首尾が直接接続されたり、係止ベルト（２）で接続されたりして環状ベルトを形成するとともに、外輪ベルト（１）と係止ベルト（２）がともにフレキシブルベルトであり、前記磁気治療体（３）が環状ベルトの内側に位置しながら、外輪ベルト（１）又は係止ベルト（２）とともに固着されるとともに、全ての磁気治療体（３）が首尾で円環構造に固着され、前記回転体（１２）が当該円環構造と回転的に接続されることで、回転体（１２）を円環構造回りに３６０°に亙って回転させることを可能にすることを特徴とするスマート磁気治療フラフープ。
【請求項２】
各前記磁気治療体（３）の内壁には、二つの磁気治療コンタクト（４）が併設されており、各磁気治療体（３）の外部が対応する中間ブロック（８）の内側の収容室に嵌め込むとともに、磁気治療体（３）が中間ブロック（８）に固着され、前記中間ブロック（８）の外側が前記外輪ベルト（１）又は係止ベルト（２）に固着される、ことを特徴とする請求項１に記載のスマート磁気治療フラフープ。
【請求項３】
二つの前記磁気治療コンタクト（４）が同一水平面に設けられており、前記磁気治療体（３）と中間ブロック（８）とが係止方式で固着され、当該中間ブロック（８）が外輪ベルト（１）又は係止ベルト（２）ともそれぞれ係止方式で固着される、ことを特徴とする請求項２に記載のスマート磁気治療フラフープ。
【請求項４】
前記磁気治療体（３）には、第１の係止口（３２）が設けられており、中間ブロック（８）において第１の係止口（３２）に対応して第１の係止具（８２）が設けられており、第１の係止具（８２）が第１の係止口（３２）に係止され、前記中間ブロック（８）には、第２の係止口（８１）が設けられており、前記外輪ベルト（１）又は係止ベルト（２）の内壁において第２の係止口（８１）に対応して第２の係止具（１１）が設けられており、第２の係止具（１１）が第２の係止口（８１）に係止される、ことを特徴とする請求項２に記載のスマート磁気治療フラフープ。
【請求項５】
前記回転体（１２）の頂部には、電子スクリーンが設けられており、回転体（１２）内には、揺動力検出器が設けられており、揺動力検出器が電子スクリーンと電気的に接続され、揺動力検出器の検出データが電子スクリーンで表示される、ことを特徴とする請求項１に記載のスマート磁気治療フラフープ。
【請求項６】
前記揺動体（１３）が上ケース（１３１）と下ケース（１３２）を含み、この二つのケースを合わせた後で、完全した釣合重りケースを形成するとともに、当該釣合重りケース内で着脱可能に釣合重り（１３３）が装着されることを特徴とする請求項１に記載のスマート磁気治療フラフープ。
【請求項７】
前記回転体（１２）の上、下端には、それぞれ二つのローラ（２０）が併設されており、上端の二つのローラ（２０）が前記円環構造の上端と転動的に協働し、下端の二つのローラ（２０）が前記円環構造の下端と転動的に協働することによって、回転体（１２）が円環構造と転動的に接続される、ことを特徴とする請求項１に記載のスマート磁気治療フラフープ。
【請求項８】
前記接続紐（１５）には、クランプリング（１４）が設けられることによって、接続紐（１５）の長さが調整可能になる、ことを特徴とする請求項１に記載のスマート磁気治療フラフープ。
【考案の詳細な説明】
【技術分野】
【０００１】
本考案は、磁気治療フラフープの技術分野に属し、具体的には、スマート磁気治療フラフープである。
【背景技術】
【０００２】
磁気治療は、人工磁場を利用して人体の経絡、ツボ及び病変部に作用する、ある病気を治す方法であり、病院の専門的な磁気治療設備は、高血圧、関節炎、頭痛、不眠、冠状動脈性心臓病、胃腸炎、顔面けいれん、及び捻挫、頸椎症などに効果がある。
【０００３】
時代が進むにつれて、人々は、フラフープに磁気治療の機能を導入して、磁気治療フラフープを構成している。磁気治療フラフープは、使用者の腰に対して磁気治療を行うと同時に、釣合重りで腰をひねる過程で遠心力を発生させることによって、人体の腰を実現して変化した循環的な受け力を模擬する。
【０００４】
現在、磁気治療フラフープには、主に下記の欠点が存在している。
１、磁気治療フラフープの内骨格の合わせ形式に多くの不足があり、その着脱過程が困難である。
２、磁気治療フラフープの外輪部分は、すべて一つ一つのユニットタイルで首尾合わせて形成されており、それぞれのタイルには磁気治療コンタクトが設けられている。しかし、使用者の太さは、異なるため、タイルを後付けしたり取り外したりして直径の大きさを調整する必要があり、着脱過程が非常に面倒で、手間がかかる。
【考案の概要】
【考案が解決しようとする課題】
【０００５】
本考案は、上記の背景技術に指摘されている課題を解決するために、スマート磁気治療フラフープを提供することを目的とする。
【課題を解決するための手段】
【０００６】
上記の目的を実現するために、本考案は、下記の技術案を提供する。
【０００７】
スマート磁気治療フラフープであって、磁気治療体と、外輪ベルトと、回転体と、揺動体とを含み、磁気治療体の内壁には、磁気治療コンタクトが設けられており、回転体が接続紐を介して揺動体と接続され、前記外輪ベルトの首尾が直接接続されたり、係止ベルトで接続されたりして環状ベルトを形成するとともに、外輪ベルトと係止ベルトがともにフレキシブルベルトであり、前記磁気治療体が環状ベルトの内側に位置しながら、外輪ベルト又は係止ベルトとともに固着されるとともに、全ての磁気治療体が首尾で円環構造に固着され、前記回転体が当該円環構造と回転的に接続されることで、回転体を円環構造回りに３６０°に亙って回転させることを可能とする。
【０００８】
従来の構造と比べて、本案に係る外輪ベルトと係止ベルトは、ともにフレキシブルベルトであり、使用時に係止ベルトを柔軟に増減することができ、これにより、環状ベルトの直径を容易かつ迅速に変更することができ、これにより、異なる太さの使用者に適応するとともに、使用者の腰に環状ベルトをうまく密着させる。また、環状ベルトの直径を調整する際、外輪ベルトにおける磁気治療体を交換する必要がなく、係止ベルト及び係止ベルトに対応する磁気治療体を増減すればよい。
【０００９】
本考案において、各前記磁気治療体の内壁には、二つの磁気治療コンタクトが併設されており、各磁気治療体の外部が対応する中間ブロックの内側の収容室に嵌め込むとともに、磁気治療体が中間ブロックに固着され、前記中間ブロックの外側が前記外輪ベルト又は係止ベルトに固着される。
【００１０】
最適化された設計として、二つの前記磁気治療コンタクトが同一水平面に設けられており、前記磁気治療体と中間ブロックとが係止方式で固着され、当該中間ブロックが外輪ベルト又は係止ベルトともそれぞれ係止方式で固着される。上記の構造で設計されると、磁気治療体は、着脱が便利であり、装着が強固である。
【００１１】
本案において、前記磁気治療体には、第１の係止口が設けられており、中間ブロックにおいて第１の係止口に対応して第１の係止具が設けられており、第１の係止具が第１の係止口に係止され、前記中間ブロックには、第２の係止口が設けられており、前記外輪ベルト又は係止ベルトの内壁において第２の係止口に対応して第２の係止具が設けられており、第２の係止具が第２の係止口に係止される。
【００１２】
接続や着脱しやすくするために、前記外輪ベルトの両側には、第１の主接続部と第１の副接続部がそれぞれ設けられており、係止ベルトの両側にも第１の主接続部と第１の副接続部が設けられており、第１の主接続部と第１の副接続部が互いに係合することができる。
【００１３】
最適化された設計として、前記回転体の頂部には、電子スクリーンが設けられており、回転体内には、揺動力検出器が設けられており、揺動力検出器が電子スクリーンと電気的に接続され、揺動力検出器の検出データが電子スクリーンで表示される。上記の構造設計を用いると、使用者は、使用中に、自分の運動強度を直感的にわかることができる。
【００１４】
本案において、前記揺動体が上ケースと下ケースを含み、この二つのケースを合わせた後で、完全した釣合重りケースを形成するとともに、当該釣合重りケース内で着脱可能に釣合重りが装着される。
【００１５】
上記の構造を用いると、使用時、必要に応じて異なる重力質量の釣合重りを交換することによって、揺動力の大きさを柔軟に調整することができる。
【００１６】
本案において、前記回転体の上、下端には、それぞれ二つのローラが併設されており、上端の二つのローラが前記円環構造の上端と転動的に協働し、下端の二つのローラが前記円環構造の下端と転動的に協働することによって、回転体が円環構造と転動的に接続される。上記の構造を用いると、回転体と円環構造とは接続が強固であり、回転が柔軟であり、かつ、ローラの構造が簡単であり、実施することが容易である。
【００１７】
使用効果を最適化するために、前記接続紐には、クランプリングが設けられることによって、接続紐の長さが調整可能になる。
【考案の効果】
【００１８】
有益な効果として、
１、このスマート磁気治療フラフープの外側の環状ベルトは、接続が簡単で、強固であり、かつ、環状ベルトの直径の大きさを柔軟かつ便利に調整することができ、これによって、この磁気治療フラフープは、異なる太さの使用者にうまく適応でき、使用者の腰に密着できる。
２、本製品の磁気治療体のほとんどは、何れも外輪ベルトに設けられており、環状ベルトの直径の大きさを調整する際、外輪ベルトにおける磁気治療体を交換する必要がなく、係止ベルト及び係止ベルトに対応する磁気治療体を増減すればよく、これにより、磁気治療体の着脱が非常に容易になる。
３、本製品は、ユーザの使用体験に応じて揺動力の大きさを柔軟に調整することができ、実用性が高く、お客様の体験効果がよい。
【図面の簡単な説明】
【００１９】
【図１】本考案の構造模式図である。
【図２】図１から磁気治療コンタクトを取り外した後の模式図である。
【図３】図１から回転体と揺動体等の部材を取り外した後の模式図である。
【図４】図１から一つの磁気治療体から磁気治療コンタクトを取り外した後の模式図である。
【図５】図１における回転体と揺動体等の部材の模式図である。
【考案を実施するための形態】
【００２０】
下記、具体的な実施形態を参照して本考案の技術案をさらに詳しく説明する。
【００２１】
図１〜５を参照し、主に磁気治療体３と、外輪ベルト１と、回転体１２と、揺動体１３と等の部材からなるスマート磁気治療フラフープである。前記外輪ベルト１の首尾が直接接続されたり、係止ベルト２で接続されたりして環状ベルトを形成するとともに、外輪ベルト１と係止ベルト２がともにフレキシブルベルトである。使用時に、係止ベルト２を増減することによって、環状ベルトの直径を調整することができるとともに、外輪ベルト１と係止ベルト２とがフレキシブルベルトであれば、曲げ度を調整することができ、これにより、異なる太さの使用者の腰部に固定させることが容易になる。
【００２２】
外輪ベルト１の両側には、それぞれ第１の主接続部と第１の副接続部が設けられており、即ち、外輪ベルト１の一方側には、第１の主接続部が設けられており、外輪ベルト１の他方側には、第１の副接続部が設けられている。係止ベルト２の両側にも、第１の主接続部と第１の副接続部が設けられており、即ち、係止ベルト２の一方側には、第１の主接続部が設けられており、係止ベルト２の他方側には、第１の副接続部が設けられている。使用時、第１の主接続部と第１の副接続部とが互いに係合することができる。具体的に実施中、第１の主接続部と第１の副接続部の構造形態は、ある１種の構造に限らず、その構造形態は多種多様でもよく、例えば、第１の主接続部が嵌め込み体であり、第１の副接続部が嵌め込み槽である。或いは、第１の主接続部がスクリューセットを用い、第１の副接続部がスクリューを用いる。
【００２３】
前記磁気治療体３は、環状ベルトの内側に位置しながら、外輪ベルト１又は係止ベルト２とともに固着されるとともに、全ての磁気治療体３は、首尾で一つの円環構造に固着され、前記回転体１２が当該円環構造と回転的に接続されることで、回転体１２を円環構造回りに３６０°に亙って回転させることを可能にする。
【００２４】
磁気治療体３の内壁には、磁気治療コンタクト４が設けられている。本案において、各前記磁気治療体３の内壁には、二つの磁気治療コンタクト４が併設されており、二つの磁気治療コンタクト４が同一水平面に設けられている。各磁気治療体３の外部が対応する中間ブロック８の内側の収容室に嵌め込むとともに、磁気治療体３が中間ブロック８に係止方式で固着され、中間ブロック８の外側が外輪ベルト１又は係止ベルト２にも係止方式で固着される。具体的に実施中、磁気治療体３には、第１の係止口３２が設けられており、中間ブロック８には、第１の係止口３２に対応して第１の係止具８２が設けられており、第１の係止具８２が第１の係止口３２に係止される。中間ブロック８には、第２の係止口８１が設けられており、外輪ベルト１又は係止ベルト２の内壁には、第２の係止口８１に対応して第２の係止具１１が設けられており、第２の係止具１１が第２の係止口８１中に係止される。第１の係止具８２と第２の係止具１１の数および設置位置は、実際の状況に応じて適宜調整でき、具体的に限定しない。
【００２５】
回転体１２が接続紐１５を介して揺動体１３と接続されており、接続紐１５の長さが調整可能であり、且つ、接続紐１５には、クランプリング１４が設けられている。回転体１２の上、下端には、それぞれ二つのローラ２０が併設されており、上端の二つのローラ２０が円環構造の上端と転動的に協働し、下端の二つのローラ２０が円環構造の下端と転動的に協働することによって、回転体１２が円環構造と転動的に接続される。回転体１２の頂部は、平面であり、かつ、当該平面に電子スクリーンが装着される。回転体１２内には、揺動力検出器が設けられており、揺動力検出器が電子スクリーンと電気的に接続され、揺動力検出器の検出データは、電子スクリーンで表示される。
【００２６】
揺動体１３は、上ケース１３１と下ケース１３２とを含み、この二つのケースを合わせた後で一つの完全な釣合釣合重りケースを形成するとともに、当該釣合釣合重りケース内で着脱可能に釣合重り１３３が装着され、釣合重り１３３の形状が多種多様であり、釣合重り１３３の重量は多種の規格でもよく、使用時に実際の必要に応じて適宜調整できる。
【図１】
0003234198.tif 000003
【図２】
0003234198.tif 000004
【図３】
0003234198.tif 000005
【図４】
0003234198.tif 000006
【図５】
0003234198.tif 000007